(57)【要約】【課題】プルリング開閉弁付き口栓の注出口部の開閉動作におけるプルリングの引き上げ動作において、プルリングを手指で摘む必要がなく、該口栓の注出口部の開閉動作におけるプルリングの引き上げ動作を梃子を利用することにより、比較的軽い手指の力により安定して平均化した開放量にて開閉動作できるようにする。【解決手段】容器内部に対して連通する第１の口栓円筒部１の先端開口部に嵌合する第２の口栓円筒部２の先端開口部に連設した該開口部を閉鎖する弾力性の凹陥状弁板３と、該凹陥状弁板３の凹状外面に設けたプルリング５と、該第２の口栓円筒部２の外周に設けた注出口部６とを備えたプルリング開閉弁付き口栓の前記円筒部２の外周半周部分に跨設される鞍部２１の前端部に軸支されたそれぞれ作動アーム部２４とプルリング引き上げ用の作用アーム部２５とによるプルリング引き上げ用梃子を備える。【選択図】図３
2006036306.tif 000002
【特許請求の範囲】
【請求項１】
容器内部に対して連通するように取り付けられる第１の口栓円筒部１と、該口栓円筒部１の先端開口部に嵌合する第２の口栓円筒部２と、該第２の口栓円筒部２の先端開口部に連設した該開口部を閉鎖する弾力性の凹陥状弁板３と、該凹陥状弁板３の凹状外面に一体的に立設した支柱部４の先端に水平に設けたプルリング５と、該第２の口栓円筒部２の外周に設けた注出口部６とを備え、前記第１の口栓円筒部１は、凹陥状弁板３の凸状内面が弾力的に第１の口栓円筒部１先端内周縁に密接することにより容器内部に対する連通状態を閉鎖し、プルリング５の引き上げ動作により凹陥状弁板３の凸状内面が前記第１の口栓円筒部１先端内周縁に対して密接を解除されることにより容器内部に対する連通状態を開放するようにしたプルリング開閉弁付き口栓における前記プルリング５の引き上げ動作を行うプルリング開閉弁付き口栓の弁開閉補助具において、前記第２の口栓円筒部２の外周半周部分に取り付け取り外し可能に跨設される鞍部２１と、該鞍部２１の前端部に設けた軸受部２２に支持された支軸２３を介して回動可能に軸支された鞍部２１の外側方向と内側方向とに向かう一体的なそれぞれ作動アーム部２４とプルリング引き上げ用の作用アーム部２５とによるプルリング引き上げ用梃子とを備えることを特徴とするプルリング開閉弁付き口栓の弁開閉用補助具。
【請求項２】
前記鞍部２１の外側方向と内側方向とに向かう一体的なそれぞれ作動アーム部２４とプルリング引き上げ用の作用アーム部２５とによるプルリング引き上げ用梃子において、前記作動アーム部２４は作用アーム部２５に対して支軸２３部分にて９０°〜１２０°の範囲の所定角度に屈曲して設けられ、前記作動アーム部２４が、鞍部２１の前方又は前方斜め上方の外側方向に向かうのに対して、作用アーム２５は、鞍部２１の垂直下方の内側方向に向かうことを特徴とする請求項１記載のプルリング開閉弁付き口栓の弁開閉用補助具。
【発明の詳細な説明】
【技術分野】
【０００１】
本発明は、液体内容物を密封充填包装した軟包装袋（バッグ）を段ボール箱内に装填して包装すするバッグインボックス包装形態をはじめ各種の包装形態に利用される軟包装袋容器の注出口栓として取り付けられるプルリング開閉弁付き口栓におけるプルリングを引っ張り上げて開閉弁を開閉するためのプルリング開閉弁付き口栓の弁開閉用補助具に関する。
【背景技術】
【０００２】
従来より、軟包装袋容器の注出口栓（スパウト）として取り付けられるプルリング開閉弁付き口栓は、液体内容物を密封充填包装した軟包装袋（バッグ）を段ボール箱内に装填して包装するバッグインボックス等の包装形態における軟包装袋（バッグ）の注出口栓として利用されている。
【０００３】
例えば、図４（ａ）の側面図及び図４（ｂ）の上面図に示すように、一般的に利用されているプルリング開閉弁付き口栓Ａとしては、軟包装袋等の容器内部に対して連通するように取り付けられる第１の口栓円筒部１と、該口栓円筒部１の先端開口部に嵌合する第２の口栓円筒部２とを備え、その第１、第２の口栓円筒部１、２は、それぞれに設けた嵌合部１ａと２ａにて密に凹凸嵌合して接続されている。
【０００４】
前記第２の口栓円筒部２の先端開口部には、図４（ａ）に示すように、該開口部を閉鎖する弾力性の凹陥状弁板３が連設されていて、該凹陥状弁板３の凹状外面に一体的に立設した支柱部４の先端には、水平にプルリング５が設けられている。
【０００５】
該第２の口栓円筒部２の外周の一部には、該円筒部２の筒内に連通する注出流路７を備えた注出口部６が設けられていて、前記第１の口栓円筒部１は、凹陥状弁板３の凸状内面が、弾力的に第１の口栓円筒部１の先端（上端）内周縁に密接することにより、軟包装袋等の容器内部に対して連通するように取り付けられる第１の口栓円筒部１（所謂、第１の口栓円筒部１に連通する容器）に対する連通状態を閉鎖して、容器からの内容物の注出が停止できるようになっている。
【０００６】
そして、図５の側断面図に示すように、前記プルリング５を手指にて摘んで、上方に矢印方向に引き上げ動作することにより、凹陥状弁板３の凸状内面が、前記第１の口栓円筒部１の先端（上端）内周縁に対して密接を解除されることにより、プラスチックフィルムやプラスチック複合フィルムにより製袋された軟包装袋やプラスチック製やガラス製の各種容器等の容器Ｂ（容器外壁部３１、口栓取付孔部３２）の内部に対して連通するように取り付けられる第１の口栓円筒部１（所謂、第１の口栓円筒部１に連通する容器）に対する連通状態を開放して容器からの内容物の注出ができるようになっている。
【０００７】
このように、プルリング開閉弁付き口栓Ａの注出口部６の開閉は、プルリング５を手指にて摘んで、手動にて引き上げ動作する必要があり、該口栓Ａの注出口部６の開閉動作には手指の摘み力を必要とするため、凹陥状弁板３の開放量に個人差が生じたり、開閉動作における開放量の平均化への展開が困難であった。
【発明の開示】
【発明が解決しようとする課題】
【０００８】
本発明は、プルリング開閉弁付き口栓（スパウト）の注出口部の開閉動作におけるプルリングの引き上げ動作において、プルリングを手指で摘む必要がなく、該口栓の注出口部
の開閉動作におけるプルリングの引き上げ動作を梃子を利用することにより行うことにより、比較的軽い手指の力により、安定して平均化した開放量にて開閉動作することができるようにすることにある。
【課題を解決するための手段】
【０００９】
本発明の請求項１に係る発明は、容器内部に対して連通するように取り付けられる第１の口栓円筒部１と、該口栓円筒部１の先端開口部に嵌合する第２の口栓円筒部２と、該第２の口栓円筒部２の先端開口部に連設した該開口部を閉鎖する弾力性の凹陥状弁板３と、該凹陥状弁板３の凹状外面に一体的に立設した支柱部４の先端に水平に設けたプルリング５と、該第２の口栓円筒部２の外周に設けた注出口部６とを備え、前記第１の口栓円筒部１は、凹陥状弁板３の凸状内面が弾力的に第１の口栓円筒部１先端内周縁に密接することにより容器内部に対する連通状態を閉鎖し、プルリング５の引き上げ動作により凹陥状弁板３の凸状内面が前記第１の口栓円筒部１先端内周縁に対して密接を解除されることにより容器内部に対する連通状態を開放するようにしたプルリング開閉弁付き口栓における前記プルリング５の引き上げ動作を行うプルリング開閉弁付き口栓の弁開閉補助具において、前記第２の口栓円筒部２の外周半周部分に取り付け取り外し可能に跨設される鞍部２１と、該鞍部２１の前端部に設けた軸受部２２に支持された支軸２３を介して回動可能に軸支された鞍部２１の外側方向と内側方向とに向かう一体的なそれぞれ作動アーム部２４とプルリング引き上げ用の作用アーム部２５とによるプルリング引き上げ用梃子とを備えることを特徴とするプルリング開閉弁付き口栓の弁開閉用補助具である。
【００１０】
本発明の請求項２に係る発明は、上記請求項１に係るプルリング開閉弁付き口栓の弁開閉用補助具において、前記鞍部２１の外側方向と内側方向とに向かう一体的なそれぞれ作動アーム部２４とプルリング引き上げ用の作用アーム部２５とによるプルリング引き上げ用梃子において、前記作動アーム部２４は作用アーム部２５に対して支軸２３部分にて９０°〜１２０°の範囲の所定角度に屈曲して設けられ、前記作動アーム部２４が、鞍部２１の前方又は前方斜め上方の外側方向に向かうのに対して、作用アーム２５は、鞍部２１の垂直下方の内側方向に向かうことを特徴とするプルリング開閉弁付き口栓の弁開閉用補助具である。
【発明の効果】
【００１１】
本発明のプルリング開閉弁付き口栓の弁開閉用補助具は、図１に示すように、前記プルリング開閉弁付き口栓Ａの第２の口栓円筒部２の外周半周部分に取り付け取り外し可能に跨設される鞍部２１に、作動アーム部２４とプルリング引き上げ用の作用アーム部２５とによるプルリング引き上げ用梃子を備えたので、図２に示すように、本発明の弁開閉用補助具の鞍部２１をプルリング開閉弁付き口栓Ａの第２の口栓円筒部２の外周に跨設した後に、図３（ａ）の側面図に示すように、プルリング５のリング内に作用アーム部２５の先端部を挿入して、該プルリング５を作用アーム部２５の先端部に引っ掛け、続いて、図３（ｂ）の部分側断面図に示すように、手指にて作動アーム部２４を支軸２３を支点として下方に回動し、作用アーム部２５により梃子の原理により、凹陥状弁板３の凹陥状への弾性的な復元力に抗して、プルリング５を斜め上方（例えば、斜め上方４５°以上）の矢印方向に、比較的に軽い手指の力だけで引き上げることができる。
【００１２】
前記梃子の原理によるプルリング５の引き上げ動作により、常時、第１の口栓円筒部１先端内周縁に弾力的に密接して容器内部に対する連通状態を閉鎖している凹陥状弁板３の凸状内面が、第１の口栓円筒部１先端内周縁に対する密接が解除されて、第１の口栓円筒部１内部（所謂、容器内部）に対する連通状態を開放することができ、また、手指を作動アーム部２４から離すことにより、凹陥状弁板３は凹陥状への弾性的な復元力により元の凹陥状態に戻り、第１の口栓円筒部１先端内周縁に対して弾力的に密接して、第１の口栓円筒部１内部（所謂、容器内部）に対する連通状態を閉鎖することができる。
【発明を実施するための最良の形態】
【００１３】
本発明のプルリング開閉弁付き口栓の弁開閉用補助具の実施の形態を以下に詳細に説明する。
【００１４】
図１は、本発明の弁開閉用補助具の全体斜視図であり、鞍部２１と、該鞍部２１の前端部に設けた軸受部２２と、該軸受部２２に支持された支軸２３を介して回動可能に軸支された鞍部２１の外側方向と内側方向とに向かう一体的なそれぞれ作動アーム部２４とプルリング引き上げ用の作用アーム部２５とによるプルリング引き上げ用梃子とを備えるものである。
【００１５】
本発明の弁開閉用補助具においては、前記鞍部２１の前端部に軸支された外側方向に向かう作動アーム部２４と内側方向に向かうプルリング引き上げ用の作用アーム部２５は、支軸部２３を介して一体的に設けられて、支軸部２３を支点とする梃子の構造となっている。
【００１６】
前記作動アーム部２４と作用アーム部２５とは、支軸部２３を挟んで互いに直線状に形成されてていもよいが、図１、又は図２の側面図に示すように、前記作動アーム部２４は作用アーム部２５に対して、支軸２３部分にて、例えば９０°〜１２０°の範囲の所定角度に屈曲して設けられ、前記作動アーム部２４が鞍部２１の前方又は前方斜め上方の外側方向に向かうのに対して、作用アーム２５が鞍部２１の垂直下方の内側方向に向かうような形状となっていてもよい。
【００１７】
作動アーム部２４の支軸部２３からの長さａと、作用アーム部２５の支軸部２３からの長さｂとの関係は、特に限定はしないが、作動アーム部２４の回動に必要な手指の力が梃子の原理により軽減されるようにするために、少なくとも、ａ＝ｂ又はａ＞ｂが適当である。
【００１８】
本発明の弁開閉用補助具は、図２の側面図に示すように、その鞍部２１を、プラスチックフィルムやプラスチック複合フィルムにより製袋された軟包装袋やプラスチック製やガラス製の各種容器等の容器Ｂ（図５参照、容器外壁部３１、口栓取付孔部３２）の内部に対して連通するように取り付けられる一般的なプルリング開閉弁付き口栓Ａの第２の口栓円筒部２の外周半周部分に跨設することにより、該口栓Ａに取り付けることができ、第２の口栓円筒部２の外周部分に対して取り付け取り外し可能に跨設される。
【００１９】
本発明の弁開閉用補助具を、容器Ｂ（図５参照）に取り付けられたプルリング開閉弁付き口栓Ａに跨設して取り付ける際は、図２に示すように、プルリング引き上げ用の作用アーム部２５が該口栓Ａのプルリング５と近接対向する位置となるように取り付けるものである。
【００２０】
本発明の弁開閉用補助具の使用方法を以下に説明すれば、まず、図３（ａ）の側面図に示すように、プルリング５のリング内に作用アーム部２５の先端部を挿入して、該プルリング５を作用アーム部２５の先端部に引っ掛ける。
【００２１】
続いて、図３（ｂ）の部分側断面図に示すように、作動アーム部２４を、手指にて支軸２３を支点として下方に回動して、梃子の原理により、作用アーム部２５にて、凹陥状弁板３の凹陥状への弾性的な復元力に抗して、該作用アーム部２５の先端部を挿入したプルリング５を、斜め上方（例えば、斜め上方４５°以上）の矢印方向に引き上げる。なお、回動の際に、作動アーム部２４に掛ける力は、作動アーム部２４の支軸部２３からの長さａと作用アーム部２５の支軸部２３からの長さｂとの関係において、ａ＝ｂ又はａ＞ｂと
することにより、凹陥状弁板３の凹陥状への弾性的な復元力に抗して、比較的に軽い手指の力で回動させて、プルリング５を引き上げることができる。
【００２２】
前記作動アーム部２４と作用アーム部２５により、梃子の原理によってプルリング５を引き上げ動作することにより、図２、図３（ｂ）に示すように、常時、凹陥状弁板３の凸状内面は、第１の口栓円筒部１先端内周縁に弾力的に密接して容器Ｂ内部に対する連通状態を閉鎖している状態から、図３（ｂ）に示すように、第１の口栓円筒部１先端内周縁に対する密接が解除されて、第２の口栓円筒部２の注出口部６の流路７は、第１の口栓円筒部１内部（所謂、容器内部）に対する連通状態が開放状態となって、容器内から内容液Ｌを第１の口栓円筒部１と第２の口栓円筒部２を通って注出口部６の流路７から注出できるようになる。
【００２３】
また、手指を作動アーム部２４から離すことにより、図３（ａ）に示すように、凹陥状弁板３は、凹陥状への弾性的な復元力により元の凹陥状態に戻り、それによって、凹陥状弁板３の凸状内面は、第１の口栓円筒部１の先端内周縁に対して弾力的に密接して、第２の口栓円筒部２の注出口部６の流路７は、第１の口栓円筒部１内部（所謂、容器内部）に対する連通状態が閉鎖状態となって、第１の口栓円筒部１の上端部が閉鎖され、容器内からの内容液Ｌは、第２の口栓円筒部２に流れ込むことがなく、注出口部６の流路７からは注出できなくなる。
【図面の簡単な説明】
【００２４】
【図１】本発明のプルリング開閉弁付き口栓の弁開閉用補助具の一例を説明する全体斜視図。
【図２】本発明のプルリング開閉弁付き口栓の弁開閉用補助具を、一般的なプルリング開閉弁付き口栓に取り付けた状態の一例を説明する全体側面図。
【図３】（ａ）は本発明のプルリング開閉弁付き口栓の弁開閉用補助具によるプルリング開閉弁付き口栓（閉鎖状態）の開閉方法を説明する全体側面図、（ｂ）は本発明のプルリング開閉弁付き口栓の弁開閉用補助具によるプルリング開閉弁付き口栓（開放状態）の開閉方法を説明する部分側断面図。
【図４】（ａ）は一般的なプルリング開閉弁付き口栓を説明する全体側面図、（ｂ）はその上面図。
【図５】容器に取り付けられた一般的なプルリング開閉弁付き口栓の開閉方法を説明する部分側断面図。
【符号の説明】
【００２５】
Ａ…プルリング開閉弁付き口栓
Ｂ…容器
１…第１の口栓円筒部  ２…第２の口栓円筒部  ３…凹陥状弁板  ４…支柱
５…プルリング  ６…注出口部  ７…内容液の注出流路
８…容器取り付け用フランジ部
１１、１２、１３…筒補強用フィン
２１…鞍部  ２２…軸受部  ２３…支軸部  ２４…作動アーム部  ２５…作用アーム部
３１…容器外壁部  ３２…口栓取付孔部
【図１】
2006036306.tif 000003
【図２】
2006036306.tif 000004
【図３】
2006036306.tif 000005
【図４】
2006036306.tif 000006
【図５】
2006036306.tif 000007